(57)【要約】【課題】メンテナンス対応能力の向上を図ることができる換気装置を提供することを目的とする。【解決手段】換気装置１に異常が発生したことを検知する異常検知手段２と、異常検知手段２が検知した異常情報を記憶する異常記憶手段３と、少なくとも換気装置１の機器固有の番号などの機器情報を記憶する機器情報記憶手段４と、検知された異常の発生情報、異常内容情報、および機器情報といった各情報を外部へ通信するための外部通信手段５とを備え、外部通信手段５から通信される前記各情報が蓄精される機器情報蓄積手段４には各機器毎にどのようなメンテナンスが実施されたかのメンテナンス対応情報が、その固有の機器情報と対応して後に検索可能に蓄積登録されて、前記各情報の少なくとも一つ、および前記メンテナンス対応情報を検索し抽出する構成としている。【選択図】図１
2005282906.tif 000002
【特許請求の範囲】
【請求項１】
排気、給気、または同時給排気を行うことにより建物内の換気を実施する換気装置であって、前記換気装置に異常が発生したことを検知する異常検知手段と、この異常検知手段が検知した異常情報を記憶する異常記憶手段と、少なくとも前記換気装置の機器固有の番号などの機器情報を記憶する機器情報記憶手段と、前記異常検知手段により検知された異常の発生情報、前記異常記憶手段の異常内容情報、および前記機器情報記憶手段に記憶された機器情報といった各情報を外部へ通信するための外部通信手段とを備え、前記外部通信手段から通信される前記各情報は機器情報蓄積手段に蓄積され、前記機器情報蓄積手段には各機器毎にどのようなメンテナンスが実施されたかのメンテナンス対応情報が、その固有の機器情報と対応して後に検索可能に蓄積登録されて、検索することにより前記各情報の少なくとも一つ、および前記メンテナンス対応情報を抽出する構成とすることを特徴とする換気装置。
【請求項２】
前記換気装置の異常情報を受信した機器情報蓄積手段に蓄積されたメンテナンス対応情報の中から同様または類似の情報に関する他の換気装置の情報を抽出して、前記他の換気装置の情報をメンテナンス行為に活用することを特徴とする請求項１に記載の換気装置。
【請求項３】
前記各情報と前記メンテナンス対応情報について、少なくとも一つ以上のキーワード検索を行うことにより該当情報に関する一覧を抽出して、異常再発防止を製品開発へフィードバックすることを特徴とする請求項１に記載の換気装置。
【請求項４】
外部のメンテナンス端末手段から前記機器情報蓄積手段に蓄積された情報を検索し抽出するとともに、どのようなメンテナンスが行われたかというメンテナンス対応情報を蓄積登録することを特徴とする請求項１または２に記載の換気装置。
【請求項５】
前記機器情報蓄積手段側から異常記憶手段に記憶されている異常履歴の送信を依頼し、外部通信手段が前記送信依頼を受信して前記異常記憶手段によって記憶された該当する異常履歴を前記外部通信手段を介して前記機器情報蓄積手段に送信することを特徴とする請求項１、２または３に記載の換気装置。
【請求項６】
前記送信依頼を外部のメンテナンス端末手段から送信し、前記該当する異常履歴は前記メンテナンス端末手段に送信されることを特徴とする請求項５に記載の換気装置。
【請求項７】
異常発生時に異常内容情報のみならず、異常発生時の室内気温、室内湿度、室外気温、換気装置内の各部温度情報といった関連情報も同時に送信することを特徴とする請求項１〜６のいずれかに記載の換気装置。
【請求項８】
前記換気装置の定期検査時に定期検査対象となる換気装置に関する過去の異常内容情報と機器情報とメンテナンス対応情報のうち少なくとも一つ以上を自動抽出することを特徴とする請求項１〜７のいずれかに記載の換気装置。
【請求項９】
前記換気装置の生産時に少なくとも生産ロット情報を含む固有の機器情報を記憶させることを特徴とする請求項１〜８のいずれかに記載の換気装置。
【請求項１０】
冷房または暖房または除湿のうち少なくとも１種類以上の空調機能と一体または連動する機能を備え、温度または湿度環境を含む空気環境を改善することを特徴とする請求項１〜９のいずれかに記載の換気装置。
【発明の詳細な説明】
【技術分野】
【０００１】
本発明は、住宅内の室内空気と外部空気との入れ替えを実施する換気装置に関するものである。
【背景技術】
【０００２】
近年、住宅気密の高性能化が進んでいることもあり住宅全体の換気に関するニーズが高まっており、住宅向けにシステム化された換気計画を行うことのできる換気装置も一般的に普及してきている。また、このような換気装置においては昨今のインターネットをはじめとする各種通信手段の発達とともに外部に対しての機器情報の通報機能を有したものも使用され始めている（例えば、特許文献１参照）。
【０００３】
以下、この種の従来の換気装置について、図５を参照しながら説明する。
【０００４】
図５に示すように、住宅内の任意の天井裏などに異常検知手段や記憶手段を含む換気装置１０１を設置し、換気装置１０１には外部機器通信手段１０２を付属し、外部機器通信手段１０２と住宅内に設置されたインターネット端末装置１０３によって換気装置１０１内にて発生した異常情報を外部のメンテナンス会社の機器情報蓄積手段１０４に通報を行い、機器情報蓄積手段１０４を所有するメンテナンス会社は端末装置１０５により機器情報蓄積手段１０４からデータを入手して、換気装置１０１の異常発生を認知するとともに、その異常情報に基づいたメンテナンス対応を実施していた。
【特許文献１】特開２００３−２０７１９２号公報
【発明の開示】
【発明が解決しようとする課題】
【０００５】
このような従来の換気装置では、換気装置１０１に異常が発生した場合にその換気装置１０１に関する異常情報の報知のみである場合が多く、異常情報の蓄積が実施されても換気装置毎に管理がなされる場合が一般的であり、メンテナンスを実施した対応履歴が前記異常情報や機器情報などとともに関連付けて蓄積されずに、問題の再発防止や次回からのメンテナンス対応に有効に活かされていないという課題があった。
【０００６】
また、発生した異常がその換気装置にとって初回の発生の場合や、他の換気装置でのメンテナンス経歴などを抽出するのに手間がかかる場合などが生じ、蓄積情報を有効に活かしきれないことや、担当者の個人的なノウハウによるメンテナンス対応が行われることなど、いったようにメンテナンス対応がまちまちになるという課題があった。
【０００７】
本発明は、従来の上記課題を解決するために、個別の換気装置における異常履歴の管理などによるメンテナンス対応能力の向上を図り、同種の異常が発生した別の換気装置のメンテナンス対応にも異常情報の履歴とメンテナンス対応情報の履歴が有効に活かされることによって対応能力の向上を図ることができる換気装置を提供することを目的とする。
【０００８】
また、必要に応じて自動的に異常履歴を取り出せることにより個別の換気装置に対する定期的なメンテナンス対応能力の向上を図るとともに、それらを横断的に利用することによって次期換気装置の開発に有機的にフィードバックすることにより、次期換気装置開発品のメンテナンス対応能力を向上することができる換気装置を提供することを目的とする。
【課題を解決するための手段】
【０００９】
本発明の換気装置は上記目的を達成するために、排気、給気、または同時給排気を行うことにより建物内の換気を実施する換気装置であって、前記換気装置に異常が発生したことを検知する異常検知手段と、この異常検知手段が検知した異常情報を記憶する異常記憶手段と、少なくとも前記換気装置の機器固有の番号などの機器情報を記憶する機器情報記憶手段と、前記異常検知手段により検知された異常の発生情報、前記異常記憶手段の異常内容情報、および前記機器情報記憶手段に記憶された機器情報といった各情報を外部へ通信するための外部通信手段とを備え、前記外部通信手段から通信される前記各情報は機器情報蓄積手段に蓄積され、前記機器情報蓄積手段には各機器毎にどのようなメンテナンスが実施されたかのメンテナンス対応情報が、その固有の機器情報と対応して後に検索可能に蓄積登録されて、検索することにより前記各情報の少なくとも一つ、および前記メンテナンス対応情報を検索し抽出する構成とする。
【００１０】
また、他の手段は、前記換気装置の異常情報を受信した機器情報蓄積手段に蓄積されたメンテナンス対応情報の中から同様または類似の情報に関する他の換気装置の情報を抽出して、前記他の換気装置の情報をメンテナンス行為に活用するものである。
【００１１】
また、他の手段は、前記各情報と前記メンテナンス対応情報について、少なくとも一つ以上のキーワード検索を行うことにより該当情報に関する一覧を抽出して、異常再発防止を製品開発へフィードバックするものである。
【００１２】
また、他の手段は、外部のメンテナンス端末手段から前記機器情報蓄積手段に蓄積された情報を検索し抽出するとともに、どのようなメンテナンスが行われたかというメンテナンス対応情報を蓄積登録するものである。
【００１３】
また、他の手段は、前記機器情報蓄積手段側から異常記憶手段に記憶されている異常履歴の送信を依頼し、外部通信手段が前記送信依頼を受信して前記異常記憶手段によって記憶された該当する異常履歴を前記外部通信手段を介して前記機器情報蓄積手段に送信することものである。
【００１４】
また、他の手段は、前記送信依頼を外部のメンテナンス端末手段から送信し、前記該当する異常履歴は前記メンテナンス端末手段に送信されるものである。
【００１５】
また、他の手段は、異常発生時に異常内容情報のみならず、異常発生時の室内気温、室内湿度、室外気温、換気装置内の各部温度情報といった関連情報も同時に送信するものである。
【００１６】
また、他の手段は、前記換気装置の定期検査時に定期検査対象となる換気装置に関する過去の異常内容情報と機器情報とメンテナンス対応情報のうち少なくとも一つ以上を自動抽出するものである。
【００１７】
また、他の手段は、前記換気装置の生産時に少なくとも生産ロット情報を含む固有の機器情報を記憶させるものである。
【００１８】
また、他の手段は、冷房または暖房または除湿のうち少なくとも１種類以上の空調機能と一体または連動する機能を備え、温度または湿度環境を含む空気環境を改善するものである。
【発明の効果】
【００１９】
本発明によれば、異常発生時や定期的検査時のメンテナンス精度向上および対応時間短縮といったメンテナンス対応能力を向上させることができる。
【００２０】
また、メンテナンス対応能力を向上させた次期製品の開発対応能力を向上させることができる。
【００２１】
また、定期的なメンテナンス対応能力を向上させるとともに再発防止など製品開発へフィードバックすることができる。
【００２２】
また、機種を特定できるようになることで製品管理およびメンテナンス対応管理能力の向上させることができる。
【００２３】
また、温度または湿度環境を含む空気環境を改善することができる。
【発明を実施するための最良の形態】
【００２４】
本発明の請求項１に記載の換気装置は、排気、給気、または同時給排気を行うことにより建物内の換気を実施する換気装置であって、前記換気装置に異常が発生したことを検知する異常検知手段と、この異常検知手段が検知した異常情報を記憶する異常記憶手段と、少なくとも前記換気装置の機器固有の番号などの機器情報を記憶する機器情報記憶手段と、前記異常検知手段により検知された異常の発生情報、前記異常記憶手段の異常内容情報、および前記機器情報記憶手段に記憶された機器情報といった各情報を外部へ通信するための外部通信手段とを備え、前記外部通信手段から通信される前記各情報は機器情報蓄積手段に蓄積され、前記機器情報蓄積手段には各機器毎にどのようなメンテナンスが実施されたかのメンテナンス対応情報が、その固有の機器情報と対応して後に検索可能に蓄積登録されて、検索することにより前記各情報の少なくとも一つ、および前記メンテナンス対応情報を抽出するものであり、異常発生時や定期的検査時のメンテナンス精度向上および対応時間が短縮でき、メンテナンス対応能力を向上させることができる。
【００２５】
また、請求項２に記載の発明は、請求項１に記載の換気装置において、前記換気装置の異常情報を受信した機器情報蓄積手段に蓄積されたメンテナンス対応情報の中から同様または類似の情報に関する他の換気装置の情報を抽出して、前記他の換気装置の情報をメンテナンス行為に活用するものであり、他の換気装置において過去に生じた異常内容情報等を十分に活用して適切な異常原因の解明に役立てることで、メンテナンス精度向上およびメンテナンス対応時間が短縮でき、メンテナンス対応能力を向上させることができる。
【００２６】
また、請求項３に記載の発明は、請求項１に記載の換気装置において、前記各情報と前記メンテナンス対応情報について、少なくとも一つ以上のキーワード検索を行うことにより該当情報に関する一覧を抽出して、異常再発防止を製品開発へフィードバックするものであり、前記抽出した情報を利用することにより過去の具体的事例を多方面から認知することによる再発防止など製品開発へフィードバックすることが可能となり、メンテナンス対応能力を向上させた次期製品を開発することができる。
【００２７】
また、請求項４に記載の発明は、請求項１または２記載の換気装置において、外部のメンテナンス端末手段から前記機器情報蓄積手段に蓄積された情報を検索し抽出するとともに、どのようなメンテナンスが行われたかというメンテナンス対応情報を蓄積登録するこものであり、メンテナンスを行う者がこれから行うメンテナンスに有用な異常発生要因、その対応策などを迅速かつ効率的に取得することができ、メンテナンス対応結果を登録することで将来の異常発生時のメンテナンス対応に役立てることができる換気装置が得られる。
【００２８】
また、請求項５に記載の発明は、請求項１、２、または３に記載の換気装置において、前記機器情報蓄積手段側から異常記憶手段に記憶されている異常履歴の送信を依頼し、外部通信手段が前記送信依頼を受信して前記異常記憶手段によって記憶された該当する異常履歴を前記外部通信手段を介して前記機器情報蓄積手段に送信するものであり、所定期間毎に異常履歴の送信依頼を行うことで、定期的なメンテナンス対応能力を向上させるとともに、再発防止を確保するために取得した異常履歴を製品開発へフィードバックすることができる。
【００２９】
また、請求項６に記載の発明は、請求項５に記載の換気装置において、前記送信依頼を外部のメンテナンス端末手段から送信し、前記該当する異常履歴は前記メンテナンス端末手段に送信されるものであり、メンテナンス時期などの必要なタイミングで異常履歴の送信依頼を行うことにより、メンテナンス作業を効率的、適切に行うことができる。
【００３０】
また、請求項７に記載の発明は、請求項１〜６のいずれかに記載の換気装置において、異常発生時に異常内容情報のみならず、異常発生時の室内気温、室内湿度、室外気温、換気装置内の各部温度情報といった関連情報も同時に送信するものであり、異常発生時の背景を示すことが可能な装置となり、異常発生の原因究明を含むメンテナンス対応能力を向上させることができる。
【００３１】
また、請求項８に記載の発明は、請求項１〜７のいずれかに記載の換気装置において、前記換気装置の定期検査時に定期検査対象となる換気装置に関する過去の異常内容情報と機器情報とメンテナンス対応情報のうち少なくとも一つ以上を自動抽出するものであり、多面的な情報検索が可能なメンテナンスする会社の情報蓄積手段を有する装置となり、メンテナンス対応能力を向上させることができる。
【００３２】
また、請求項９に記載の発明は、請求項１〜８のいずれかに記載の換気装置において、前記換気装置の生産時に少なくとも生産ロット情報を含む固有の機器情報を記憶させるものであり、換気装置の生産時に少なくとも生産ロット情報を含む固有の機器情報を記憶させる機能を備ることにより、換気装置は個別の機器として特定できるようになり、製品管理およびメンテナンス対応管理能力の向上させることができる。
【００３３】
また、請求項１０に記載の発明は、請求項１〜９に記載の換気装置において、冷房または暖房または除湿のうち少なくとも１種類以上の空調機能と一体または連動する機能を備え、温度または湿度環境を含む空気環境を改善するものであり、温度または湿度環境を含む空気環境の改善ができる装置となることができる。
【００３４】
以下、本発明の実施例について図１〜図４を参照しながら説明する。
【００３５】
（実施の形態1）
本発明は、排気、給気、または同時給排気を行うことにより建物内の換気を実施する換気装置１であり、換気装置１に異常が発生したことを検知する異常検知手段２と、この異常検知手段２が検知した異常情報を記憶する異常記憶手段３と、少なくとも換気装置１の機器固有の番号などの機器情報を記憶する機器情報記憶手段４と、異常検知手段２により検知された異常の発生情報、異常記憶手段３の異常内容情報、および機器情報記憶手段４に記憶された機器情報といった各情報を外部へ通信するための外部通信手段５とを備え、外部通信手段５から通信される前記各情報は機器情報蓄積手段８に蓄積され、機器情報蓄積手段８には各機器毎にどのようなメンテナンスが実施されたかのメンテナンス対応情報が、その固有の機器情報と対応して後に検索可能に蓄積登録されて、前記各情報の少なくとも一つ、および前記メンテナンス対応情報を検索し抽出する構成としている。
【００３６】
また、外部のメンテナンス端末手段９から機器情報蓄積手段８に蓄積された情報を検索し抽出するとともに、どのようなメンテナンスが行われたかというメンテナンス対応情報を蓄積登録する構成である。
【００３７】
図１は本願発明における換気装置の基本構成を示したものである。
【００３８】
図に示すように本換気装置は、換気装置１と、その換気装置１に機器の異常の発生を検知するための異常検知手段２と、異常検知手段２が検知した異常情報を記憶するための異常記憶手段３と、換気装置１の機器固有の機器情報を記憶するための機器情報記憶手段４と、これらの各手段からの情報を外部に送受信するための外部通信手段５とを有する。外部通信手段５は、換気装置１の情報を外部通信手段５と送受信するとともに換気装置１が設置されているユーザーの建物外にインターネット７に代表される通信手段により送受信が可能なインターネット端末手段６と接続される。さらにメンテナンス側としてインターネット７を介して情報の送受信が可能であり、受信した情報の蓄積が可能な機器情報蓄積手段８を構成し、機器情報蓄積手段８に対してメンテナンス対応情報を蓄積登録できる機能を有するとともに機器情報蓄積手段８に蓄積されている情報を抽出し表示または印刷などによる出力機能を有するメンテナンス端末手段９を構成する。
【００３９】
換気装置１はファンとモーターにより建物内の空気と建物外の空気の入れ替えを実施することにより建物内の空気の換気を実施する機能を有する機器である。このとき、空気の入替方法としては建物内の空気を機械的に排気する方法と建物外の空気を機械的に給気する方法と機械的に同時に排気と給気する方法が一般的に知られており、換気装置１としては全ての方法のなかから必要に応じた方法を用いたものを選定するのが望ましい。
【００４０】
異常検知手段２はモーターやセンサーの異常を電気的に検知する機能を有するもので、一般的にはマイクロコンピューターなどにより検知結果を判定することによって異常検知を実施する。
【００４１】
異常記憶手段３は異常検知手段２によって検知された異常情報を電気的に記憶する機能を有するもので、一般的には電源が遮断されても記憶の保持が可能なメモリー機能を有する集積回路部品が利用できるほか、換気装置１内に異常記憶手段３に対する電源を保証する予備電源を用意する手段もある。
【００４２】
機器情報記憶手段４は換気装置１の機種品番や生産時期や機器番号など機器固有の情報を記憶する機能を有するもので、一般的には異常記憶手段３と同等のものが利用できる。   また、異常記憶手段３と機器情報記憶手段４は記憶する領域を分けることで単一の部品内で構成することも可能である。
【００４３】
外部通信手段５は異常検知手段２や異常記憶手段３や機器情報記憶手段４などの情報をインターネット端末手段６へ送信する機能を有するとともに、インターネット端末手段６からの情報を受信することにより必要に応じて異常記憶手段３や機器情報記憶手段４に記憶されている情報を抽出し、インターネット端末手段６へ送信する機能を有するものである。外部通信手段５は換気装置１に内蔵される場合のほか、必要に応じて設置できるように外付けする手段も有効である。
【００４４】
インターネット端末手段６は外部通信手段５との間で情報の送受信が可能な通信回線をもつと同時に外部との情報の送受信が可能なインターネット通信が可能であるもので、パーソナルコンピューター（以下、パソコン）などが使える。また、インターネット端末手段６としては一般的なデスクトップ型パソコンやノート型パソコンをはじめとするインターネット接続が可能な様々なタイプの端末が使えるのが望ましい。外部通信手段５とインターネット端末手段６の間の通信としては電灯線や専用通信線を用いた有線通信を用いる方法や小型の無線通信を用いる方法が必要に応じて選択できるのが望ましい。インターネット７は広く一般的に利用されているネットワークであり、インターネット端末手段６や機器情報蓄積手段８との情報の送受信では一般的にプロバイダーと呼ばれる組織などにより運営される端末接続手段を利用することができる。インターネット７に変わり独自の通信手段を有する場合は独自の通信手段を利用できることが望ましい。
【００４５】
機器情報蓄積手段８は、インターネット７より換気装置１に関する異常情報や機器情報を受信するとともに、それらの情報を蓄積する機能を有し、メンテナンス端末手段９に対して換気装置１に関する情報を送信する機能を有し、メンテナンス端末手段９より自動または任意に入力されるメンテナンス対応に関する情報を受信するとともに、それらの情報を蓄積する機能を有するものである。機器情報蓄積手段８は複数のインターネット端末手段６や複数のメンテナンス端末手段９との情報の送受信が可能であることが望ましい。情報の送受信を機器情報蓄積手段８は換気装置１の異常情報や機器情報とメンテナンス端末手段９からのメンテナンス対応情報を互いに関連付けて蓄積する機能を有し、各情報をキーワード検索することにより関連付けられた情報を抽出する機能を有することが望ましい。
【００４６】
また、機器情報蓄積手段８は、各換気装置の定期的なメンテナンス対応時期をメンテナンス端末手段９などにより入力されることにより当該換気装置の固有の機器情報と関連付けて記憶されることにより、定められた期日には自動的に該当換気装置に関する情報をメンテナンス端末手段９に送信する機能を有することが望ましい。また、前記定められた期日でのメンテナンス端末手段９への送信機能は複数のメンテナンス端末手段９を有する場合には特定のメンテナンス端末手段９のみへ送信できる機能を有することが望ましい。メンテナンス端末手段９はキーボードや音声認識手段などの外部入力手段を有するとともに表示画面や音声発生装置などの情報出力手段を有するもので、一般的には据置型のパソコンなどが利用できるが，据置型のパソコン以外にもノート型パソコンや携帯電話をはじめとする携帯機器を用いることができるのが望ましい。
【００４７】
また、換気装置１の異常情報を受信した機器情報蓄積手段８に蓄積されたメンテナンス対応情報の中から同様または類似の情報に関する他の換気装置の情報を抽出して、他の換気装置の情報をメンテナンス行為に活用する構成とする。
【００４８】
また、機器情報蓄積手段８側から異常記憶手段３に記憶されている異常履歴の送信を依頼し、外部通信手段５が前記送信依頼を受信して異常記憶手段３によって記憶された該当する異常履歴を、外部通信手段５を介して機器情報蓄積手段８に送信する構成とする。
【００４９】
また、前記送信依頼をメンテナンス端末手段９から送信し、前記該当する異常履歴はメンテナンス端末手段９に送信される構成とする。
【００５０】
また、異常発生時に異常内容情報のみならず、異常発生時の室内気温、室内湿度、室外気温、換気装置内の各部温度情報といった関連情報も同時に送信するものである。
【００５１】
また、換気装置の定期検査時には、定期検査対象となる換気装置に関する過去の異常内容情報と機器情報とメンテナンス対応情報のうち少なくとも一つ以上を自動抽出する構成とする。
【００５２】
さらに、図２は換気装置１内の構成をより詳細に示したものであり、ここでは建物内の空気の排気と建物外の空気の給気が同時にできる機能を有するものを示しており、主としてファンとモーターからなる換気手段１０は、建物内の空気と建物外の空気を入替える機能を有するもので一般的に少なくともファンとモーターから構成される。さらに、換気手段１０には空気の温度や湿度の受け渡し機能を有する熱交換素子や空気の汚れ除去の機能を有するフィルターのいずれかまたは両方を有することが望ましい。換気手段１０には建物外からの空気の導入する給気部１１と、建物外へ空気を排出する排気部１２と、建物内からの空気を排出する排気部１３と、建物内へ空気を導入する給気部１４と接続されて利用される。
【００５３】
建物外の空気の温度または湿度の検知部１５は、建物外の空気の温度や湿度を検知し換気装置１の運転制御に利用する機能を有するもので、一般的に電気抵抗の変化などにより検知するものである。建物外の空気の温度または湿度検知部１５は一定範囲内の値を示すものだが、その検知値が通常範囲を超える場合には検知部１５の異常として異常検知手段２によって検知される。
【００５４】
建物内の空気の温度または湿度の検知部１６は、建物内の空気の温度や湿度を検知し換気装置１の運転制御に利用する機能を有するもので、一般的に検知部１５と同様に電気抵抗の変化などにより検知するものである。建物内の空気の温度または湿度の検知部１６は検知部１５と同様に異常は異常検知手段２によって検知される。検知部１５や検知部１６においてはここに示した空気の温度や湿度だけではなく、空気の二酸化炭素濃度やタバコなどの煙濃度の検知する機能を有するものに置換えまたは追加できることが望ましい。
【００５５】
また、検知部１５や検知部１６に相当する機能を持たない簡易な換気装置１も考えられる。換気手段１０の状態検知部１７は換気手段１０のモーターの異常などを検知する機能を有するもので、一般的にモーターの異常はモーターの異常な高温により断線することによって異常な状態を検知させる温度ヒューズなどの利用が知られている。また、換気手段１０の状態検知部１７としては熱交換素子やフィルターの目詰まりを空気流量などから検知する機能を有するものに置換えまたは追加できることが望ましい。また、換気手段１０と連通する建物外からの給気部１１や建物外への排気部１２や建物内からの排気部１３や建物内への給気部１４の数量は換気装置としての能力の必要に応じて増減することが望ましい。
【００５６】
このように本発明の実施の形態１によれば、換気装置１内で発生した異常を即時にメンテナンス会社側のメンテナンス端末手段９に通報することできるという作用により、仮に換気装置１のユーザーが異常に気が付かなくともメンテナンス会社の担当者がいち早くメンテナンス対応することができるという作用により、換気装置１の異常による故障や換気能力の低下をの早期改善を図ることができユーザー建物内の空気環境の悪化を改善することができる。
【００５７】
また、換気装置１の定期検査を実施する場合に事前に機器情報蓄積手段８に機種品番や生産時期や機器番号といった機器固有の情報とともに定期検査の日程を蓄積することにより、その日程によりメンテナンス会社は自動的に機器情報蓄積手段８に蓄積された該当換気装置の履歴を定期検査前に抽出し状態を確認でき、さらに必要に応じて換気装置１に対して異常記憶手段３や機器情報記憶手段４に記憶している情報を要求することにより最新の状態を確認できるという作用を活用して定期検査の効果をさらに高めることもできる。
【００５８】
また、機器情報蓄積手段８に対してメンテナンス端末手段９から任意のキーワード（例えば特定部位の異常を示す番号など）を指示することにより、キーワードに関連する蓄積情報（例えば全ての換気装置のおける指示した異常を示す番号の発生履歴など）を抽出することができるという作用により、メンテナンス対象以外の換気装置での対応履歴などを容易に入手することによりメンテナンス対応時に特定の手法によらずさまざまな観点から、対応について検討できるほか、この機能を用いればキーワード毎に異常発生件数のカウントが容易にできること（例えば特定の異常を示す番号を指示したときの回答数をカウントする機能を付加すれば該当異常番号の件数を容易にカウントできる）などを利用し、次期換気装置の開発時に欠点の改善活動として利用することが容易となる。
【００５９】
また、換気装置１より異常発生時に即時にメンテナンス会社へ異常発生を通報するときに該当異常が発生した時点での各検知手段の温度や湿度やモーターの運転状況などを同時に通報することにより、異常発生時の換気装置１の状況をより詳細に確認することができるという作用を活用して、機器情報蓄積手段８からのキーワード検索の精度を向上させること（例えば、特定の異常を示す番号で情報抽出したときにある情報の数値に偏りが見られることにより発生原因の解明の材料にすることができる）ができ、メンテナンス対応手法の検討が容易になるとともに次期換気装置の開発時に欠点の改善活動へも利用することが容易となる。
【００６０】
（実施の形態２）
図３は本願発明における換気装置１を示したものである。
【００６１】
図３に示すように、本換気装置は、機器情報記憶手段４を内蔵している換気装置１と機器情報書込み手段１８とを接続し、機器情報の情報を送受信する手段を有して構成される。機器情報書込み手段１８に接続線１９と書込み手段側接続コネクタ２０を備え、換気装置１側に換気装置側接続コネクタ２１を備え、書込み手段側接続コネクタ２０と換気装置側接続コネクタ２１を互いに接続することによって換気装置１と機器情報書込み手段１８の接続を実現する。一般的に書込み手段側接続コネクタ２０と換気装置側接続コネクタ２１は互いにオスとメスの関係にある対の組合せの汎用的な接続コネクタを用いることができ，それにより生産時に容易に接続と取り外し作業ができる構成となる。また、換気装置１側と機器情報書込み手段１８側双方に小型無線装置を用いることにより、無線化することも十分に可能である。機器情報書込み手段１８は、一般的にはデスクトップ型パソコンやノート型パソコンなどが利用できる。機器情報を送受信する手法としては汎用シリアル通信（例えばＲＳ２３２など）が一般的に利用できるが、専用の通信プロトコルを取り入れて利用することもできる。
【００６２】
このように本発明の実施の形態２によれば、機器情報記憶手段４を内蔵している換気装置１の生産時に生産建物内で機器情報書込み手段１８に接続できるという作用を用いることにより、生産時の任意のタイミングで機器情報書込み手段１８から換気装置１内の機器情報記憶手段４に対して任意の情報を記憶させることができる。記憶させる機器情報としては例えば機種品番や生産時期や生産ロット番号や機器固有番号（一般的にシリアル番号と呼ばれることが多い）といったものが挙げられる。
【００６３】
様々な種類の機器情報を記憶しているという作用を用いることにより、先に述べた実施例１において機器情報を利用するさいに詳細な機器固有の情報を入手できるようになり、より一層の効果が得られる。また、生産時に書き込む機器情報を機器情報書込み手段１８によって自由に設定できることにより、大量に生産する製品にも機器固有番号の付与や生産時期や生産ロット番号などの付与が容易になるという作用を用いることにより、換気装置１が大量生産品されても個別の換気装置１ごとの管理が容易となるという効果が得られる。
【００６４】
（実施の形態３）
図４は本願発明における換気装置１を示したものである。
【００６５】
図４に示すように、本換気装置は、換気装置１と同時に空調機２３を設置して利用することもできる。図に示す設置例では、換気装置１単独での設置時に対して建物外から建物内への空気の流れの中で換気装置１から建物内への給気部に空調機２３を接続し、空調機２３には建物内への給気部２４が取付けられる構成とする。また、それぞれの給気部や排気部の換気装置１および空調機２３と接続されない側の端面には一般的に建物外との境界壁に取付けられたグリル２２や建物内の天井面や壁面に取付けられたグリル２５などを用いることにより、給気部や排気部の固定を行われる。空調機２３は換気装置１からの建物外からの空気の温度を下げたり（冷房）温度を上げたり（暖房）湿度を下げたり（除湿）する機能を有し建物内の空気環境の向上を図ることができるものである。また、空調機２３は換気装置１からの建物外からも空気よみならず、建物内の空気を余分に取り込み冷房や暖房や除湿などの作用により、より多くの空気量を制御することができ建物内の空気環境の向上を図ることができることが望ましい。また、空調機２３の空気の出入口（給気部や排気部）は空調機２３に必要とされる能力に応じて数量を任意に決定することが望ましい。
【００６６】
このように本発明の実施の形態３によれば、換気装置１と空調機２３を同時に設置して利用することにより空気環境の温度や湿度の制御も可能となるという作用を用いることにより、建物内の空気環境の快適性の向上を図るという効果が得られる。
【産業上の利用可能性】
【００６７】
本発明は、個別の換気装置における異常情報の履歴や、異常が発生した別の換気装置に係る異常情報の履歴およびメンテナンス対応情報の履歴を有効に活用することにより、メンテナンス対応の迅速化、効率化を図ることができる設備機器において有用である。
【図面の簡単な説明】
【００６８】
【図１】本発明の実施の形態１の換気装置の構成図
【図２】同換気装置の内部構成を示した構成図
【図３】本発明の実施の形態２の換気装置の構成図
【図４】本発明の実施の形態３の換気装置の構成を示した斜視図
【図５】従来の換気装置の構成図
【符号の説明】
【００６９】
１    換気装置
１Ａ  換気装置
２    異常検知手段
３    異常記憶手段
４    機器情報記憶手段
５    外部通信手段
８    機器情報蓄積手段
９    メンテナンス端末手段
【図１】
2005282906.tif 000003
【図２】
2005282906.tif 000004
【図３】
2005282906.tif 000005
【図４】
2005282906.tif 000006
【図５】
2005282906.tif 000007